(57)【特許請求の範囲】
【請求項１】
アンテナと、前記アンテナを保持する保持部材と、を備えたアンテナユニットと、
前記アンテナを介して非接触通信媒体と非接触通信を行う非接触通信手段と、
前記非接触通信手段を収容する長手状のケースと、
前記ケースの長手方向一方側且つ厚さ方向一方側に配置される表示装置と、
前記アンテナユニットの保持位置を、前記ケースの長手方向一方側で変更可能な位置変更手段と、
を備え、
前記位置変更手段は、前記アンテナユニットの保持位置を、少なくとも前記厚さ方向一方側に配置された前記非接触通信媒体と通信可能な第１位置と、前記厚さ方向他方側に配置された前記非接触通信媒体と通信可能な第２位置とに切り替え可能とされており、
前記ケースの幅方向両側に配置される１対の側壁部において、前記ケースの長手方向一方側には、前記アンテナユニットをスライドさせて取り付ける１対の取付対象部がそれぞれ形成されており、
前記アンテナユニットの前記保持部材は、前記アンテナが固定されるアンテナ固定部と、前記アンテナ固定部を前記１対の取付対象部に対してスライドさせつつ取り付ける１対の取付部とが設けられており、
前記アンテナ固定部を前記ケースの厚さ方向一方側に配した状態で前記１対の取付部を前記１対の取付対象部にスライドさせつつ取り付けることにより、前記アンテナユニットが前記第１位置で保持され、
前記アンテナ固定部を前記ケースの厚さ方向他方側に配した状態で前記１対の取付部を前記１対の取付対象部にスライドさせつつ取り付けることにより、前記アンテナユニットが前記第２位置で保持されることを特徴とする携帯端末。
【請求項２】
前記位置変更手段は、前記アンテナユニットを前記第１位置で着脱可能に保持する第１装着部と、前記アンテナユニットを前記第２位置で着脱可能に保持する第２装着部とを有することを特徴とする請求項１に記載の携帯端末。
【請求項３】
アンテナと、前記アンテナを保持する保持部材と、を備えたアンテナユニットと、
前記アンテナを介して非接触通信媒体と非接触通信を行う非接触通信手段と、
前記非接触通信手段を収容する長手状のケースと、
前記ケースの長手方向一方側且つ厚さ方向一方側に配置される表示装置と、
前記アンテナユニットの保持位置を、前記ケースの長手方向一方側で変更可能な位置変更手段と、
を備え、
前記位置変更手段は、前記アンテナユニットの保持位置を、少なくとも前記厚さ方向一方側に配置された前記非接触通信媒体と通信可能な第１位置と、前記厚さ方向他方側に配置された前記非接触通信媒体と通信可能な第２位置とに切り替え可能とされており、
前記ケース側には、複数のケース側端子が設けられ、
前記アンテナユニットには、前記ケース側端子と電気的に接続可能な複数のアンテナ側端子が設けられ、
前記アンテナユニットの保持位置が前記第１位置となったときに、複数の前記アンテナ側端子と複数の前記ケース側端子との接続が、第１接続状態となり、前記アンテナユニットの保持位置が前記第２位置となったときに、複数の前記アンテナ側端子と複数の前記ケース側端子との接続が、第２接続状態となるように構成されており、
更に、複数の前記ケース側端子の状態に基づいて、前記第１接続状態及び前記第２接続状態のいずれの状態であるかを判断する判断手段が設けられていることを特徴とする携帯端末。
【請求項４】
前記位置変更手段は、前記アンテナユニットを前記第１位置で着脱可能に保持する第１装着部と、前記アンテナユニットを前記第２位置で着脱可能に保持する第２装着部とを有することを特徴とする請求項３に記載の携帯端末。
【請求項５】
前記ケースにおける厚さ方向の一方面側には、第１係合部が設けられ、前記ケースの厚さ方向の他方面側には、第２係合部が設けられており、
前記アンテナユニットは、前記第１係合部及び前記第２係合部のいずれとも嵌合及び離脱可能とされ、前記第１係合部と嵌合したときに前記第１位置で保持され、前記第２係合部と嵌合したときに前記第２位置で保持されることを特徴とする請求項４に記載の携帯端末。
【請求項６】
前記ケースの幅方向両側に配置される１対の側壁部において、前記ケースの長手方向一方側には、前記アンテナユニットをスライドさせて取り付ける１対の取付対象部がそれぞれ形成されており、
前記アンテナユニットの前記保持部材は、前記アンテナが固定されるアンテナ固定部と、前記アンテナ固定部を前記１対の取付対象部に対してスライドさせつつ取り付ける１対の取付部とが設けられており、
前記アンテナ固定部を前記ケースの厚さ方向一方側に配した状態で前記１対の取付部を前記１対の取付対象部にスライドさせつつ取り付けることにより、前記アンテナユニットが前記第１位置で保持され、
前記アンテナ固定部を前記ケースの厚さ方向他方側に配した状態で前記１対の取付部を前記１対の取付対象部にスライドさせつつ取り付けることにより、前記アンテナユニットが前記第２位置で保持されることを特徴とする請求項３又は請求項４に記載の携帯端末。
【請求項７】
前記アンテナからの電波の出力状態を所定の高出力状態とする高出力モードと、前記高出力モードのときよりも低出力状態とする低出力モードとに少なくとも変更可能な出力変更手段を備え、
前記出力変更手段は、前記判断手段により前記第１接続状態であると判断された場合に前記低出力モードに設定し、前記第２接続状態であると判断された場合に前記高出力モードに設定することを特徴とする請求項３から請求項６のいずれか一項に記載の携帯端末。
【請求項８】
前記判断手段により前記第１接続状態であると判断された場合に当該第１接続状態に対応する第１情報を報知し、前記第２接続状態であると判断された場合に当該第２接続状態に対応する第２情報を報知する報知手段を備えたことを特徴とする請求項３から請求項７のいずれか一項に記載の携帯端末。
【発明の詳細な説明】
【技術分野】
【０００１】
本発明は、携帯端末に関するものである。
【背景技術】
【０００２】
従来より、非接触式ＩＣカード等の非接触通信媒体と非接触通信を行う機能を備えた携帯端末が提供されている。例えば、このような携帯端末としては、下記特許文献１に示すものが知られている。
【０００３】
特許文献１には、ＲＦタグ（３）と交信可能なリーダライタを備えたＲＦタグ用携帯型情報端末装置が記載されている。このＲＦタグ用携帯型情報端末装置は、さらにバーコードを読むバーコードリ−ダを備えている。そして、リーダライタのアンテナ部（２）は、バーコード窓を備えており、このバーコード窓がバーコード光を照射するための読取口と向かい合う位置に、着脱可能に設けられている。
【先行技術文献】
【特許文献】
【０００４】
【特許文献１】特許第３６３７８２１号公報
【発明の概要】
【発明が解決しようとする課題】
【０００５】
ところで、上記のような携帯端末（非接触通信端末）では、ＩＣカード等の非接触通信媒体との間で非接触通信を行う際に、用途に応じて、当該携帯端末に対して非接触通信媒体を翳して通信すべき場合と、当該携帯端末側から非接触通信媒体に近づけて通信すべき場合とが想定される。例えば、商品等の代金を支払う決済用途などでは、金銭的な価値の大きい電子マネーやクレジットカード等を扱う都合上、客側が主体となり、ＩＣカード等を携帯端末に設けられる表示装置などの上に翳して通信する場合が多い。一方、スキー場のリフト乗り場で行われるリフト券の確認や映画館などの施設等で行われるもぎり用途では、確認作業を円滑に素早く完了させることが重視されるため、確認者（端末操作者）が主体となり、携帯端末を通信対象となる非接触通信媒体に近づけて通信する場合が多い。このように、用途によって通信態様が異なるため、これら様々な用途に対応可能な携帯端末が望まれている。
【０００６】
このようなニーズに応えるためには、例えば、各用途に合わせた携帯端末をそれぞれ個別に設計することも考えられるが、このような方法では、設計や開発にかかるコストが増大してしまうといった問題がある。また、上述のように複数の用途が想定される場合、各用途に合わせて設計された携帯端末を用意しなければならないという問題もある。
【０００７】
例えば、特許文献１の装置では、表示装置が設けられる面とは反対側にアンテナ部が設けられているため、もぎり用途のように端末自体を読取対象物（リフト券やチケット等）に近づける場合、表示装置側が上方に向く通常姿勢からそれほど装置姿勢を変更せずに反対側のアンテナをそのまま読取対象物に近づけることができるため、特に持ち方を変更する必要もなく、上述のもぎり用途に適しているといえる。しかしながら、この構成は、ＩＣカード等を表示装置側から翳して通信させにくく、決済用途には適していないという問題がある。特に、決済用途では、金銭的機能を有する非接触通信媒体（電子マネー機能付きＩＣカード等）を利用する関係上、機器操作者側が主導的に機器を非接触通信媒体に近づけて読むのではなく、客側の意思の下、客側が自発的に且つ容易に非接触通信媒体を翳すことができるようにする必要がある。
【０００８】
従って、上記のように表示装置の反対側にアンテナ部が設けられた携帯端末では、非接触通信媒体を読み取る際に、通常姿勢（表示装置側が上方に向く装置姿勢）から装置をひっくり返すように向きを変える必要があり、操作性が非常に悪くなってしまう。その上、このように反対向きにひっくり返して読み取りを行うと、今度は表示画面が下向きに配置されてしまうため、読み取り時に客や使用者が表示装置を確認できなくなる。ゆえに、上記構成のものは、決済時に決済金額や決済処理の完了を即座に確認することが求められる決済用途への使用は難しい。このような理由により、従来では、決済用途を円滑に行うために当該用途に適した端末を別途用意せざるを得なかった。
【０００９】
また、別の方法としては、非接触通信媒体と通信を行うためのアンテナを端末内の様々な場所に多数配置することが考えられる。このようにすれば、非接触通信媒体の配置の自由度が高まるため、複数用途への適用可能性が大きくなる。しかしながら、この構成では、アンテナの配置領域の増大に起因するデメリットが避けられず、特に、コスト面で不利となってしまう。
【００１０】
本発明は、上述した課題を解決するためになされたものであり、非接触通信機能を備えた携帯端末において、非接触通信媒体を端末側に翳して通信を行う場合でも、端末を非接触通信媒体側に移動させて通信を行う場合でも、通信を良好に行うことができる構成を、コストの増大を抑えて実現することを目的とする。
【課題を解決するための手段】
【００１１】
上記目的を達成するため、第１の発明は、
アンテナと、前記アンテナを保持する保持部材と、を備えたアンテナユニットと、
前記アンテナを介して非接触通信媒体と非接触通信を行う非接触通信手段と、
前記非接触通信手段を収容する長手状のケースと、
前記ケースの長手方向一方側且つ厚さ方向一方側に配置される表示装置と、
前記アンテナユニットの保持位置を、前記ケースの長手方向一方側で変更可能な位置変更手段と、
を備え、
前記位置変更手段は、前記アンテナユニットの保持位置を、少なくとも前記厚さ方向一方側に配置された前記非接触通信媒体と通信可能な第１位置と、前記厚さ方向他方側に配置された前記非接触通信媒体と通信可能な第２位置とに切り替え可能とされており、
前記ケースの幅方向両側に配置される１対の側壁部において、前記ケースの長手方向一方側には、前記アンテナユニットをスライドさせて取り付ける１対の取付対象部がそれぞれ形成されており、
前記アンテナユニットの前記保持部材は、前記アンテナが固定されるアンテナ固定部と、前記アンテナ固定部を前記１対の取付対象部に対してスライドさせつつ取り付ける１対の取付部とが設けられており、
前記アンテナ固定部を前記ケースの厚さ方向一方側に配した状態で前記１対の取付部を前記１対の取付対象部にスライドさせつつ取り付けることにより、前記アンテナユニットが前記第１位置で保持され、
前記アンテナ固定部を前記ケースの厚さ方向他方側に配した状態で前記１対の取付部を前記１対の取付対象部にスライドさせつつ取り付けることにより、前記アンテナユニットが前記第２位置で保持されることを特徴とする。
また、第２の発明は、アンテナと、前記アンテナを保持する保持部材と、を備えたアンテナユニットと、
前記アンテナを介して非接触通信媒体と非接触通信を行う非接触通信手段と、
前記非接触通信手段を収容する長手状のケースと、
前記ケースの長手方向一方側且つ厚さ方向一方側に配置される表示装置と、
前記アンテナユニットの保持位置を、前記ケースの長手方向一方側で変更可能な位置変更手段と、
を備え、
前記位置変更手段は、前記アンテナユニットの保持位置を、少なくとも前記厚さ方向一方側に配置された前記非接触通信媒体と通信可能な第１位置と、前記厚さ方向他方側に配置された前記非接触通信媒体と通信可能な第２位置とに切り替え可能とされており、
前記ケース側には、複数のケース側端子が設けられ、
前記アンテナユニットには、前記ケース側端子と電気的に接続可能な複数のアンテナ側端子が設けられ、
前記アンテナユニットの保持位置が前記第１位置となったときに、複数の前記アンテナ側端子と複数の前記ケース側端子との接続が、第１接続状態となり、前記アンテナユニットの保持位置が前記第２位置となったときに、複数の前記アンテナ側端子と複数の前記ケース側端子との接続が、第２接続状態となるように構成されており、
更に、複数の前記ケース側端子の状態に基づいて、前記第１接続状態及び前記第２接続状態のいずれの状態であるかを判断する判断手段が設けられていることを特徴とする。
【発明の効果】
【００１２】
請求項１、２の発明に係る携帯端末では、アンテナユニットの保持位置を変更可能な位置変更手段が設けられており、この位置変更手段は、アンテナユニットの保持位置を、少なくとも厚さ方向一方側に配置された非接触通信媒体と通信可能な第１位置と、厚さ方向他方側に配置された非接触通信媒体と通信可能な第２位置とに切り替え可能とされている。
この構成によれば、端末の厚さ方向一方側に配置された非接触通信媒体を読み取る用途では、アンテナユニットを第１位置に切り替えて読み取りをより確実に行うことができ、厚さ方向他方側に配置された非接触通信媒体を読み取る用途では、アンテナユニットを第２位置に切り替えて読み取りをより確実に行うことができる。従って、非接触通信媒体を厚さ方向一方側から端末側に翳して通信を行う場合でも、端末を非接触通信媒体側に移動させ当該非接触通信媒体を厚さ方向他方側に配して通信を行う場合でも、通信を良好に行うことができる。また、このような効果を得るためにアンテナを多数増設する必要が無く、コストの高騰も抑えられる。
また、請求項１の発明では、ケースの幅方向両側に配置される１対の側壁部において、ケースの長手方向一方側に、アンテナユニットをスライドさせて取り付ける１対の取付対象部がそれぞれ形成されている。更に、アンテナユニットの保持部材には、アンテナが固定されるアンテナ固定部と、アンテナ固定部を１対の取付対象部に対してスライドさせつつ取り付ける１対の取付部とが設けられている。そして、アンテナ固定部をケースの厚さ方向一方側に配した状態で１対の取付部を１対の取付対象部にスライドさせつつ取り付けることにより、アンテナユニットが第１位置で保持され、アンテナ固定部をケースの厚さ方向他方側に配した状態で１対の取付部を１対の取付対象部にスライドさせつつ取り付けることにより、アンテナユニットが第２位置で保持されるようになっている。
この構成では、アンテナユニットを第１位置及び第２位置に安定的に配置し得る構成をより一層簡易に実現できる。特に、アンテナユニットを第１位置に配置する場合のケース側の保持部分と、アンテナユニットを第２位置に配置する場合のケース側の保持部分とが１対の取付対象部によって兼用されるため、アンテナユニットを保持するためのケース側の構造をより簡素化することができる。
請求項２の発明では、ケース側において、複数のケース側端子が設けられ、アンテナユニットには、ケース側端子と電気的に接続可能な複数のアンテナ側端子が設けられている。そして、アンテナユニットの保持位置が第１位置となったときに、複数のアンテナ側端子と複数のケース側端子との接続が、第１接続状態となり、アンテナユニットの保持位置が第２位置となったときに、複数のアンテナ側端子と複数のケース側端子との接続が、第２接続状態となるように構成されている。この構成では、アンテナユニットが第１位置のときの端子同士の接続状態と、第２位置のときの端子同士の接続状態とを明確に異ならせて、それぞれに対応した別個の電気的状態を確実に発生させることができる。
さらに、複数のケース側端子の状態に基づいて、第１接続状態及び第２接続状態のいずれの状態であるかを判断する判断手段が設けられている。この構成によれば、第１位置と第２位置とで明確に区別される電気信号に基づいて、アンテナユニットがいずれの位置にあるかを簡易な構成で正確に判断することができる。
【００１３】
請求項２、４の発明では、位置変更手段において、アンテナユニットを第１位置で着脱可能に保持する第１装着部と、アンテナユニットを第２位置で着脱可能に保持する第２装着部とが設けられている。
この構成によれば、複雑な変位機構などを設ける必要が無く、アンテナユニットを第１位置及び第２位置のいずれでも安定的に保持し得る構成を簡易に実現できる。
【００１４】
請求項５の発明では、ケースにおける厚さ方向の一方面側に、第１係合部が設けられ、ケースの厚さ方向の他方面側に、第２係合部が設けられている。そして、アンテナユニットは、第１係合部及び第２係合部のいずれとも嵌合及び離脱可能とされ、第１係合部と嵌合したときに第１位置で保持され、第２係合部と嵌合したときに第２位置で保持されるようになっている。
この構成によれば、厚さ方向一方側から翳された非接触通信媒体との通信により適した位置（ケースの厚さ方向一方面上）にアンテナユニットを安定的に装着することができ、厚さ方向他方側に配置された非接触通信媒体との通信により適した位置（即ちケースの厚さ方向他方面上）にもアンテナユニットを安定的に装着することができるようになる。また、それほど複雑な変位機構等を用いずに、簡易かつ安価な構成で上記効果を得ることができる。
【００１５】
請求項６の発明では、ケースの幅方向両側に配置される１対の側壁部において、ケースの長手方向一方側に、アンテナユニットをスライドさせて取り付ける１対の取付対象部がそれぞれ形成されている。更に、アンテナユニットの保持部材には、アンテナが固定されるアンテナ固定部と、アンテナ固定部を１対の取付対象部に対してスライドさせつつ取り付ける１対の取付部とが設けられている。そして、アンテナ固定部をケースの厚さ方向一方側に配した状態で１対の取付部を１対の取付対象部にスライドさせつつ取り付けることにより、アンテナユニットが第１位置で保持され、アンテナ固定部をケースの厚さ方向他方側に配した状態で１対の取付部を１対の取付対象部にスライドさせつつ取り付けることにより、アンテナユニットが第２位置で保持されるようになっている。
この構成では、アンテナユニットを第１位置及び第２位置に安定的に配置し得る構成をより一層簡易に実現できる。特に、アンテナユニットを第１位置に配置する場合のケース側の保持部分と、アンテナユニットを第２位置に配置する場合のケース側の保持部分とが１対の取付対象部によって兼用されるため、アンテナユニットを保持するためのケース側の構造をより簡素化することができる。
【００１８】
請求項７の発明では、アンテナからの電波の出力状態を所定の高出力状態とする高出力モードと、高出力モードのときよりも低出力状態とする低出力モードとに少なくとも変更可能な出力変更手段が設けられている。そして、出力変更手段は、判断手段により第１接続状態であると判断された場合に低出力モードに設定し、第２接続状態であると判断された場合に高出力モードに設定するように構成されている。
この構成では、アンテナユニットが第１位置にあるときに非接触通信媒体がより近くに翳され易い用途（例えば、第１位置のときにＩＣカードを携帯端末の厚さ方向一方面側に翳すような決済用途等）においてアンテナからの出力を低めに設定し、低電力化を図ることができる。一方、アンテナユニットが第２位置にあるときに非接触通信媒体がある程度離れた位置で読み取られる可能性のある用途（例えば、第２位置のときに携帯端末自体を非接触通信媒体に近づけるもぎり用途等）においてアンテナからの出力を高めに設定し、読取性能を高めることができる。
【００１９】
請求項８の発明では、判断手段により第１接続状態であると判断された場合に当該第１接続状態に対応する第１情報を報知し、第２接続状態であると判断された場合に当該第２接続状態に対応する第２情報を報知する報知手段が設けられている。
この構成によれば、アンテナユニットが第１位置及び第２位置のいずれにあるかをユーザ等が容易に認識することができ、認識した者が、アンテナユニットの位置に応じた対応をとりやすくなる。
【図面の簡単な説明】
【００２０】
【図１】図１（Ａ）は、第１実施形態に係る携帯端末を概略的に例示する斜視図であり、図１（Ｂ）は、アンテナユニットがケースの上面側に装着された状態を示す説明図であり、図１（Ｃ）は、アンテナユニットがケースの下面側に装着された状態を示す説明図である。
【図２】図２（Ａ）は、図１の携帯端末の電気的構成を例示するブロック図であり、図２（Ｂ）は、非接触通信部の構成を例示するブロック図である。
【図３】図３（Ａ）は、第２実施形態に係る携帯端末を概略的に例示する斜視図であり、図３（Ｂ）は、アンテナユニットがケースの上面側に装着された状態を示す説明図であり、図３（Ｃ）は、アンテナユニットがケースの下面側に装着された状態を示す説明図である。
【図４】図４（Ａ）は、第３実施形態に係る携帯端末を概略的に例示する斜視図であり、図４（Ｂ）は、ケース上方側端子及びケース下方側端子の電気的構成を示す説明図である。
【図５】図５（Ａ）は、アンテナ側端子とケース上方側端子及びケース下方側端子の構成を概略的に例示する説明図であり、図５（Ｂ）は、アンテナユニットがケースに装着された状態を示す説明図である。
【図６】図６は、本第３実施形態に係る携帯端末で行われる非接触通信処理の流れを例示するフローチャートである。
【図７】図７（Ａ）は、第４実施形態に係る携帯端末において、アンテナユニットがケースの上面側に装着された状態を示す説明図であり、図７（Ｂ）は、アンテナユニットがケースの中間位置に装着された状態を示す説明図であり、図７（Ｃ）は、アンテナユニットがケースの下面側に装着された状態を示す説明図である。
【図８】図８（Ａ）は、第４実施形態における第１変形例に係る携帯端末において、アンテナユニットがケースの上面側に装着された状態を示す説明図であり、図８（Ｂ）は、アンテナユニットがケースの中間位置に装着された状態を示す説明図であり、図８（Ｃ）は、アンテナユニットがケースの下面側に装着された状態を示す説明図である。
【図９】図９（Ａ）は、第１実施形態における他の変形例に係る携帯端末において、ケースの上方側から非接触通信媒体と通信する様子を説明する図であり、図９（Ｂ）は、ケースの下方側から非接触通信媒体と通信する様子を説明する図である。
【発明を実施するための形態】
【００２１】
[第１実施形態]
以下、本発明の携帯端末を具現化した第１実施形態について、図面を参照して説明する。
（全体構成）
まず、第１実施形態の携帯端末の全体構成について説明する。図１（Ａ）は、第１実施形態に係る携帯端末を概略的に例示する斜視図であり、図１（Ｂ）は、アンテナユニットがケースの上面側に装着された状態を示す説明図であり、図１（Ｃ）は、アンテナユニットがケースの下面側に装着された状態を示す説明図である。
【００２２】
本発明に係る携帯端末１は、ＩＣカード等の非接触通信媒体Ｃと非接触通信を行い得るものであり、電磁波を媒介として非接触通信媒体（例えばＩＣカード）Ｃと非接触通信を行うアンテナ５１を備えたアンテナユニット５０が、当該携帯端末１に対して着脱可能に設けられている。なお、アンテナユニット５０の構造及び携帯端末１におけるアンテナユニット５０の脱着構造については、後で述べる。
【００２３】
携帯端末１は、長手状のケース２によって外郭が構成されている。このケース２は、各種部品（各種電気部品等）を収容するものであり、例えば樹脂材料などからなる複数のケース体（例えば、上ケースと下ケースの２つのケース体）によって構成され、これらが結合した箱状形態をなしている。そして、このケース２の内部に各種部品（各種電気部品等）が収容されている。
【００２４】
なお、本実施形態では、ケース２の長手方向を前後方向とし、表示装置３（後述）が形成された側を前方側、それとは反対側を後方側としている。また、ケース２の厚さ方向を上下方向とし、操作ボタン４ａ（後述）や表示装置３が設けられた側を上方側、それとは反対側を下方側としている。また、これら前後方向及び上下方向と直交する方向を幅方向（横方向）としている。なお、図１等では前後方向をＸ軸方向、上下方向をＹ軸方向、さらに幅方向をＺ軸方向として示している。また、前方側は、「ケースの長手方向一方側」に相当する。ケース２の上方側は、「厚さ方向一方側」に相当し、下方側は、「厚さ方向他方側」に相当する。さらに、ケース２の上面側は、「厚さ方向の一方面側」に相当し、下面側は、「厚さ方向の他方面側」に相当する。
【００２５】
ケース２の上方前方側（ケース２の長手方向一方側且つ厚さ方向一方側）の領域には、表示装置３が設けられている。表示装置３は、例えば液晶表示器として構成されており、制御部６（後述）からの指令を受けて、様々な表示動作が行われるようになっている。ケース２の上方後方側の領域には、複数個の操作ボタン４ａ（数字キーや機能キー等）を有するキー操作部４が設けられている。そして、使用者等は、表示装置３を見ながら、操作ボタン４ａにより情報を入力できるように構成されている。
【００２６】
次に、電気的構成について説明する。
図２（Ａ）に示すように、携帯端末１のケース２内には、携帯端末１全体を制御する制御部６が設けられている。この制御部６は、マイコンを主体として構成されるものであり、ＣＰＵ、システムバス、入出力インタフェース等を有している。また、制御部６には、表示装置３、キー操作部４、検出部７、外部インタフェース８、メモリ９、電源部１０などが接続されている。
【００２７】
キー操作部４は、制御部６に対して操作信号を与える構成をなしており、制御部６は、これらからの操作信号を受けて操作信号の内容に応じた動作を行うようになっている。また、表示装置３は、制御部６によって制御される構成をなしており、制御部６からの指令を受けて動作する構成をなしている。外部インタフェース８は、外部（例えばホスト装置）との間でのデータ通信を行うためのインタフェースとして構成されており、制御部６と協働して通信処理を行う構成をなしている。また、ケース２内には、電源となるバッテリ１１や電源部１０が設けられており、これらによって制御部６や各種電気部品に電力が供給されるようになっている。
【００２８】
検出部７は、後述するアンテナ５１を備えたアンテナユニット５０の脱着動作を検出するようになっている。そして、このアンテナユニット５０の脱着動作を検出すると、制御部６へ出力するように構成されている。検出部７は、例えば、後述する第３実施形態の検出機構を備える構成としてもよい。また、検出部７は、光センサ、赤外線センサ、磁気センサ等を用いて構成することもできる。
【００２９】
さらに、制御部６には、非接触通信部２０が接続されている。非接触通信部２０は、アンテナ５１及び制御部６と協働して非接触通信媒体Ｃ（ＲＦＩＤタグやＩＣカード等）との間で電磁波による通信を行ない、非接触通信媒体Ｃに記憶されるデータの読取り、或いは非接触通信媒体Ｃに対するデータの書込みを行なうように機能するものである。なお、本実施形態では、アンテナ５１を介して非接触通信媒体Ｃと非接触通信を行う非接触通信部２０は、「非接触通信手段」の一例に相当する。
【００３０】
非接触通信部２０は、公知の電波方式で伝送を行う回路として構成されており、図２（Ｂ）にて概略的に示すように、発振器２１、変調器２２、復調器２３などを備えてなるものである。なお、非接触通信部２０には、これら以外の公知構成（例えば、増幅器、フィルタ回路、整合回路等）も設けられているが、図２（Ｂ）ではこれらについては図示を省略している。
【００３１】
この非接触通信部２０では、発振器２１にて生成された搬送波を、非接触通信媒体Ｃに与えるべき送信データ（制御部６から出される読取命令や書込命令など）に基づいて変調し、その変調波を、コイルアンテナなどからなるアンテナ５１から非接触通信媒体Ｃに対して発射する構成をなしている。なお、これを受ける非接触通信媒体Ｃでは、アンテナ５１から発射された電波を受信し、復調して読み取りや書込みを行う。一方、非接触通信媒体Ｃから携帯端末１へのデータ伝送は、アンテナ５１から発射された電波を反射波に利用し、非接触通信媒体Ｃから送信すべきデータに基づいて変調することで行われる。非接触通信媒体Ｃから反射される電波は、アンテナ５１にて受信され、復調器２３にて復調された後、制御部６にてデータとして利用されることとなる。
【００３２】
なお、読取対象となる、非接触通信媒体Ｃとしては、携帯端末１との間での通信を行うための、非接触通信媒体Ｃ側アンテナと、データの保持及び応答信号を発生するＩＣチップと、を備えたものが挙げられる。また、当該、非接触通信媒体Ｃに内蔵されるＩＣチップとしては、例えば、通信等の制御を行うＣＰＵ、送受信信号の変調・復調を行う変復調回路、動作プログラム等を記憶するＲＯＭ、データを記憶する読書き可能なＥＥＰＲＯＭ等をワンチップ化したものなどが挙げられる。
【００３３】
（特徴的部分の構成）
次に、図１等を参照し、本実施形態の特徴的構成について詳述する。
本実施形態に係る携帯端末１は、上述したように、アンテナ５１を備えたアンテナユニット５０が、当該携帯端末１に対して着脱可能に設けられている。なお、図１では、アンテナ５１を省略して示しているが、アンテナの構成は、例えば、後述する図４等と同様の構成をなしている。
【００３４】
アンテナユニット５０は、ループ状のコイルアンテナなどからなるアンテナ５１を備えている。また、アンテナユニット５０は、樹脂材料などから構成される保持部材５２を備えている。保持部材５２は、ウレタン樹脂などの弾性部材から少なくとも一部が構成されていてもよい。このように、保持部材５２を弾性部材から構成することで、アンテナユニット５０と非接触通信媒体Ｃとが接触した際の衝撃を吸収することができる（すなわち、保持部材５２に緩衝材としての機能を持たせることができる。）。
【００３５】
そして、アンテナ５１は、保持部材５２の内部に配置される態様で、保持部材５２に保持されている。また、アンテナユニット５０は、図１に示すように、ロの字形状に構成されており、ケース２の上方前方側に配置されたときに、表示装置３を避ける態様となっている（アンテナ５１が表示装置３の周囲を囲んで配置されるようになっている。）。
【００３６】
さらに、アンテナユニット５０には、１対の突出部５３ａ、５３ｂが設けられている。そして、この突出部５３ａ、５３ｂがケース２の所定部位に係合することによって、アンテナユニット５０がケース２に装着されるようになっている。なお、突出部５３ａ、５３ｂの少なくともいずれかには、複数の端子（図示略）が設けられており、ケース２に装着された際に、ケース２に設けられる複数のケース側端子（図示略）と電気的に接続されるようになっている。
【００３７】
ケース２の前方側の上面には、表示装置３を挟み込む位置に、１対の第１係合部３１ａ、３１ｂが設けられている。また、ケース２の前方側の下面には、１対の第２係合部３２ａ、３２ｂが設けられている。また、これら、第１係合部３１ａ、３１ｂ及び第２係合部３２ａ、３２ｂは、凹状に形成されている。
【００３８】
そして、アンテナユニット５０は、第１係合部３１ａ、３１ｂ及び第２係合部３２ａ、３２ｂのいずれとも嵌合及び離脱可能に構成されている。そして、アンテナユニット５０の突出部５３ａ、５３ｂが第１係合部３１ａ、３１ｂにそれぞれ嵌合したときに、図１（Ｂ）に示すように、アンテナユニット５０がケース２の上面位置で保持されるようになっている。このように、ケース２の上面位置にアンテナユニット５０が保持された状態では、非接触通信媒体Ｃをケース２の上方側から端末側に翳して容易に通信を行うことができる。なお、上面位置は、「第１位置」の一例に相当する。
【００３９】
また、アンテナユニット５０の突出部５３ａ、５３ｂが第２係合部３２ａ、３２ｂにそれぞれ嵌合したときに、図１（Ｃ）に示すように、アンテナユニット５０がケース２の下面位置で保持されるようになっている。このように、ケース２の下面位置にアンテナユニット５０が保持された状態では、ケース２の下方側（表示装置３とは反対側）に配される非接触通信媒体Ｃ側に当該携帯端末１を移動させて容易に通信を行うことができる。なお、下面位置は、「第２位置」の一例に相当する。
【００４０】
なお、アンテナユニット５０の保持位置を、ケース２の前方側において上面位置と下面位置とで切替（変更）可能な突出部５３ａ、５３ｂ、第１係合部３１ａ、３１ｂ及び第２係合部３２ａ、３２ｂは、「位置変更手段」の一例に相当する。また、アンテナユニット５０を上面位置で着脱可能に保持する第１係合部３１ａ、３１ｂは、「第１装着部」の一例に相当する。さらに、アンテナユニット５０を下面位置で着脱可能に保持する第２係合部３２ａ、３２ｂは、「第２装着部」の一例に相当する。
【００４１】
以上説明したように、本第１実施形態に係る携帯端末１では、アンテナユニット５０の保持位置を変更可能な突出部５３ａ、５３ｂ、第１係合部３１ａ、３１ｂ及び第２係合部３２ａ、３２ｂ（位置変更手段）が設けられており、この位置変更手段は、アンテナユニット５０の保持位置を、少なくとも上方側（厚さ方向一方側）に配置された非接触通信媒体Ｃと通信可能な上面位置（第１位置）と、下方側（厚さ方向他方側）に配置された非接触通信媒体Ｃと通信可能な下面位置（第２位置）とに切り替え可能とされている。
この構成によれば、携帯端末１の上方側に配置された非接触通信媒体Ｃを読み取る用途では、アンテナユニット５０を上面位置に切り替えて読み取りをより確実に行うことができ、下方側に配置された非接触通信媒体Ｃを読み取る用途では、アンテナユニット５０を下面位置に切り替えて読み取りをより確実に行うことができる。従って、非接触通信媒体Ｃを上方側から端末側に翳して通信を行う場合でも、端末を非接触通信媒体Ｃ側に移動させ当該非接触通信媒体Ｃを下方側に配して通信を行う場合でも、通信を良好に行うことができる。また、このような効果を得るためにアンテナを多数増設する必要が無く、コストの高騰も抑えられる。
【００４２】
また、位置変更手段において、アンテナユニット５０を上面位置で着脱可能に保持する第１係合部３１ａ、３１ｂ（第１装着部）と、アンテナユニット５０を下面位置で着脱可能に保持する第２係合部３２ａ、３２ｂ（第２装着部）とが設けられている。
この構成によれば、複雑な変位機構などを設ける必要が無く、アンテナユニット５０を上面位置及び下面位置のいずれでも安定的に保持し得る構成を簡易に実現できる。
【００４３】
また、ケース２における上面側（厚さ方向の一方面側）に、第１係合部３１ａ、３１ｂが設けられ、ケース２の下面側（厚さ方向の他方面側）に、第２係合部３２ａ、３２ｂが設けられている。そして、アンテナユニット５０は、第１係合部３１ａ、３１ｂ及び第２係合部３２ａ、３２ｂのいずれとも嵌合及び離脱可能とされ、第１係合部３１ａ、３１ｂと嵌合したときに上面位置で保持され、第２係合部３２ａ、３２ｂと嵌合したときに下面位置で保持されるようになっている。
この構成によれば、上方側（厚さ方向一方側）から翳された非接触通信媒体Ｃとの通信により適した位置（ケース２の上面）にアンテナユニット５０を安定的に装着することができ、下方側に配置された非接触通信媒体Ｃとの通信により適した位置（即ちケース２の下面）にもアンテナユニット５０を安定的に装着することができるようになる。また、それほど複雑な変位機構等を用いずに、簡易かつ安価な構成で上記効果を得ることできる。
【００４４】
[第２実施形態]
次に、本発明の第２実施形態に係る携帯端末２０１について、図３を参照して説明する。本第２実施形態では、図３に示すように、アンテナユニットの保持位置を変更する位置変更手段の構成が異なる点以外は、上記第１実施形態と同様である。以下、これ以外の上記第１実施形態との相違点を中心に述べる。なお、上記第１実施形態と実質的に同一の構成部分には、同一符号を付し、その説明を省略する。
【００４５】
図３（Ａ）は、第２実施形態に係る携帯端末を概略的に例示する斜視図であり、図３（Ｂ）は、アンテナユニットがケースの上面側に装着された状態を示す説明図であり、図３（Ｃ）は、アンテナユニットがケースの下面側に装着された状態を示す説明図である。
【００４６】
上述した第１実施形態では、位置変更手段の構成として、アンテナユニット５０に設けられる突出部５３ａ、５３ｂをケース２に設けられる第１係合部３１ａ、３１ｂ及び第２係合部３２ａ、３２ｂに嵌合させることで、アンテナユニット５０をケース２に装着するようにしたが、本第２実施形態ではこの構成に代えて、当該携帯端末２０１にスライド機構を設け、このスライド機構によりアンテナユニット２５０の保持位置を変更するようにしている。
【００４７】
より具体的には、図３に示すように、ケース２０２の幅方向両側に配置される１対のケース側壁部３３において、ケース２０２の前方側の領域に、ケース２０２の長手方向に対して平行に、１対の溝部３４が設けられている。そして、この溝部３４に沿って、アンテナユニット２５０をスライドさせてケース２０２に取り付けるように構成されている。なお、ケース側壁部３３は、「側壁部」の一例に相当する。また、溝部３４は、「取付対象部」の一例に相当する。
【００４８】
アンテナユニット２５０の保持部材２５２は、アンテナ５１が固定されるアンテナ固定部５４と、アンテナ固定部５４をケース２０２の溝部３４に対して取付可能な取付部５５ａ、５５ｂとが設けられている。アンテナ固定部５４は、ロの字形状に構成されており、アンテナユニット２５０が携帯端末２０１に取り付けられたときに、アンテナ固定部５４の開口部５４ａから表示装置３の表示が視認できるようになっている。また、このアンテナ固定部５４には、後述する図４等と同様に、アンテナ５１が設けられている。そして、アンテナ固定部５４の一端側と他端側からそれぞれ立ち上がるように１対の取付部５５ａ、５５ｂが設けられている。この取付部５５ａ、５５ｂには、溝部３４に滑合可能な凸部５６ａ、５６ｂがそれぞれ形成されている。
【００４９】
上述のように構成されるアンテナユニット２５０は、図３（Ａ）に示すように、アンテナ固定部５４をケース２０２の上方側に配した状態で、１対の取付部５５ａ、５５ｂを１対の溝部３４にスライドさせつつ取り付けることにより、図３（Ｂ）に示すように、アンテナユニット２５０が上面位置で保持されることとなる。そして、このように、ケース２０２の上面位置にアンテナユニット２５０が保持された状態では、非接触通信媒体Ｃをケース２０２の上方側から端末側に翳して容易に通信を行うことができる。
【００５０】
また、アンテナ固定部５４をケース２０２の下方側に配した状態で、１対の取付部５５ａ、５５ｂを１対の溝部３４にスライドさせつつ取り付けることにより、図３（Ｃ）に示すように、アンテナユニット２５０が下面位置で保持されることとなる。そして、このように、ケース２０２の下面位置にアンテナユニット２５０が保持された状態では、ケース２０２の下方側（表示装置３とは反対側）に配される非接触通信媒体Ｃ側に当該携帯端末２０１を移動させて容易に通信を行うことができる。
【００５１】
以上説明したように、本第２実施形態に係る携帯端末２０１では、ケース２０２の幅方向両側に配置される１対のケース側壁部３３において、ケース２０２の前方側に、アンテナユニット２５０をスライドさせて取り付ける１対の溝部３４がそれぞれ形成されている。更に、アンテナユニット２５０の保持部材２５２には、アンテナ５１が固定されるアンテナ固定部５４と、アンテナ固定部５４を１対の溝部３４に対してスライドさせつつ取り付ける１対の取付部５５ａ、５５ｂとが設けられている。そして、アンテナ固定部５４をケース２０２の上方側に配した状態で１対の取付部５５ａ、５５ｂを１対の溝部３４にスライドさせつつ取り付けることにより、アンテナユニット２５０が上面位置で保持され、アンテナ固定部５４をケース２０２の下方側に配した状態で１対の取付部５５ａ、５５ｂを１対の溝部３４にスライドさせつつ取り付けることにより、アンテナユニット２５０が下面位置で保持されるようになっている。
この構成では、アンテナユニット２５０を上面位置及び下面位置に安定的に配置し得る構成をより一層簡易に実現できる。特に、アンテナユニット２５０を上面位置に配置する場合のケース２０２側の保持部分と、アンテナユニット２５０を第２位置に配置する場合のケース２０２側の保持部分とが１対の溝部３４によって兼用されるため、アンテナユニット２５０を保持するためのケース２０２側の構造をより簡素化することができる。
【００５２】
[第３実施形態]
次に、本発明の第３実施形態に係る携帯端末３０１について、図４及び図５を参照して説明する。本第３実施形態では、上述した第２実施形態の構成において、さらに、アンテナユニットの保持位置を判断するための複数の端子が、ケース及びアンテナユニットに設けられている点以外は、上記第２実施形態と同様である。以下、これ以外の上記第２実施形態との相違点を中心に述べる。なお、上記第２実施形態と実質的に同一の構成部分には、同一符号を付し、その説明を省略する。
【００５３】
図４（Ａ）は、第３実施形態に係る携帯端末を概略的に例示する斜視図であり、図４（Ｂ）は、ケース上方側端子及びケース下方側端子の電気的構成を示す説明図である。図５（Ａ）は、アンテナ側端子とケース上方側端子及びケース下方側端子の構成を概略的に例示する説明図であり、図５（Ｂ）は、アンテナユニットがケースに装着された状態を示す説明図である。
【００５４】
本第３実施形態では、図４（Ａ）に示すように、ケース３０２に設けられる幅方向一方側（−Ｚ軸方向）の溝部３４の上方側にケース上方側端子３５ａ、３５ｂ、３５ｃ、３５ｄが設けられており、この溝部３４の下方側にケース下方側端子３６ａ、３６ｂ、３６ｃ、３６ｄが設けられている。そして、ケース上方側端子３５ｄ及びケース下方側端子３６ａは、検出部７に接続されており、アンテナユニット３５０側に設けられる端子（アンテナ側端子５７ｄ）との導通状態を検出部７に出力するようになっている。ケース上方側端子３５ａとケース下方側端子３６ｄとは結線されており、また、ケース上方側端子３５ｂとケース下方側端子３６ｃとは結線されており、それぞれ非接触通信部２０に接続されており、非接触通信部２０からの信号をアンテナユニット３５０側へ出力するようになっている。ケース上方側端子３５ｃとケース下方側端子３６ｂは、それぞれ接地されている。なお、ケース上方側端子３５ａ〜３５ｄ及びケース下方側端子３６ａ〜３６ｄは、「ケース側端子」の一例に相当する。
【００５５】
また、アンテナユニット３５０の凸部５６ａ近傍には、ケース上方側端子３５ａ〜３５ｄ及びケース下方側端子３６ａ〜３６ｄと電気的に接続可能なアンテナ側端子５７ａ、５７ｂ、５７ｃ、５７ｄが設けられている。そして、アンテナ側端子５７ａ、５７ｂは、アンテナ５１に接続されている。また、アンテナ側端子５７ｃ、５７ｄは、互いに短絡されている。アンテナ側端子５７（５７ａ〜５７ｄ）は、図５に示すように、取付部５５ａにばね５８を介して取り付けられている。また、アンテナユニット３５０がケース３０２に装着されると、ばね５８の弾性変形によって当該アンテナ側端子５７の突出具合が変化して、ケース上方側端子３５（３５ａ〜３５ｄ）またはケース下方側端子３６（３６ａ〜３６ｄ）と接触するように構成されている。
【００５６】
上述のように構成されるアンテナユニット３５０は、アンテナユニットが装着されていない状態では、検出部７のＰ１、Ｐ２には、いずれもＨレベルの信号が入力されるようになっている。その後、図４（Ａ）に示すように、アンテナ固定部５４をケース３０２の上方側に配した状態で、１対の取付部５５ａ、５５ｂを１対の溝部３４にスライドさせ、アンテナユニット３５０が上面位置で保持されると、アンテナ側端子５７ａはケース上方側端子３５ａと接触し、アンテナ側端子５７ｂはケース上方側端子３５ｂと接触し、アンテナ側端子５７ｃはケース上方側端子３５ｃと接触し、アンテナ側端子５７ｄはケース上方側端子３５ｄと接触する。なお、このようにアンテナ側端子５７ａ〜５７ｄとケース上方側端子３５ａ〜３５ｄが接続された状態を第１接続状態とする。このとき、アンテナ側端子５７ｃ、５７ｄと接続されたケース上方側端子３５ｃ、３５ｄが短絡するため、検出部７のＰ１に入力される信号は、ＨレベルからＬレベルに変化する。一方、Ｐ２に入力される信号は、Ｈレベルのままとなる。このとき、検出部７は、Ｐ１がＬレベル、Ｐ２がＨレベルであることを特定可能な信号（第１信号）を、制御部６へ出力し、制御部６では、この信号（第１信号）を受けているときに、アンテナユニット３５０が上面位置に保持されている状態（第１接続状態）であると判断する。
【００５７】
また、アンテナ固定部５４をケース３０２の下方側に配した状態で、１対の取付部５５ａ、５５ｂを１対の溝部３４にスライドさせ、アンテナユニット３５０が下面位置で保持されると、アンテナ側端子５７ａはケース下方側端子３６ｄと接触し、アンテナ側端子５７ｂはケース下方側端子３６ｃと接触し、アンテナ側端子５７ｃはケース下方側端子３６ｂと接触し、アンテナ側端子５７ｄはケース下方側端子３６ａと接触する。なお、このようにアンテナ側端子５７ａ〜５７ｄとケース下方側端子３６ａ〜３６ｄが接続された状態を第２接続状態とする。このとき、アンテナ側端子５７ｃ、５７ｄと接続されたケース下方側端子３６ａ、３６ｂが短絡するため、検出部７のＰ２に入力される信号は、ＨレベルからＬレベルに変化する。一方Ｐ２に入力される信号はＨレベルとなる。このとき、検出部７は、Ｐ１がＨレベル、Ｐ２がＬレベルであることを特定可能な信号（第２信号）を制御部６へ出力し、制御部６では、この信号を受けているときに、アンテナユニット３５０が下面位置に保持されている状態（第２接続状態）であると判断する。なお、ケース上方端子３５ａ〜３５ｄ及びケース下方側端子３６ａ〜３６ｄの状態に基づいて、第１接続状態及び第２接続状態のいずれの状態であるかを判断する検出部７及び制御部６は、「判断手段」の一例に相当する。なお、検出部７を省略し、Ｐ１、Ｐ２の入力信号を直接制御部６に入力させるように構成し、制御部６がこれら信号の状態によって、第１接続状態と第２接続状態、非接続状態のいずれかを判断するようにしてもよい。
【００５８】
次に、このように構成される携帯端末３０１における非接触通信処理について、図６を用いて説明する。なお、図６は、本第３実施形態に係る携帯端末で行われる非接触通信処理の流れを例示するフローチャートである。
【００５９】
まず、アンテナユニット３５０がケース３０２に取り付けられると、ステップＳ１０１にて、このアンテナユニット３５０の保持位置か上面位置か否かが判定される。ここで、ステップＳ１０１にてＹｅｓと判定されると、当該携帯端末３０１の表示装置３側（上面側）に非接触通信媒体Ｃを翳して通信を行う場合に適した送受信設定がステップＳ１０２にて行われる。このステップＳ１０２の翳し読み送受信設定処理では、制御部６からの信号に基づき非接触通信部２０において、アンテナ５１からの電波の出力状態を所定の低出力状態とする低出力モードに設定する。なお、電波出力の増減方法は、公知の様々な方法を用いることができ、例えば、変調信号の振幅のレベルを調整する方法であってもよく、変調された信号を増幅させて出力する際の増幅器での増幅度合いを変化させる方法であってもよい。また、復調器２３において、当該非接触通信処理にて通信を行う非接触通信媒体Ｃの種類（例えばＩＣカード）に対応する受信フィルタが選択される。このようにステップＳ１０２にて設定することで、アンテナユニット３５０が上面位置にあるときに非接触通信媒体Ｃがより近くに翳され易い用途（例えば、上面位置のときにＩＣカードを携帯端末３０１の上面側に翳すような決済用途等）においてアンテナ５１からの出力を低めに設定することで、低電力化を図ることができる。
【００６０】
次に、ステップＳ１０３にて、当該携帯端末３０１の上面側に非接触通信媒体Ｃを翳して通信を行う場合に適した操作設定が行われる。このステップＳ１０３の翳し読み操作設定処理では、アンテナユニット３５０が上面位置にあるときに非接触通信媒体Ｃがより近くに翳され易い用途で通信される場合に適した操作設定が行われる。具体的に、ＩＣカードを携帯端末３０１の上面側に翳すような決済用途の場合では、表示装置３の表示を決済用画面（決済金額等を表示可能な画面）に設定する。また、決済用途に適したサウンド設定が行われる。このサウンド設定では、例えば、「カードを翳してください」や「ありがとうございました」などの音声や、ＩＣカードの種類に応じた決済音（「シャリーン」など）が、処理に応じて流れるように設定される。なお、携帯端末３０１には、このサウンド音を発生させるためのスピーカ（図示略）が内蔵されている。また、キー操作部４が例えば、決済用途に応じた設定（決済用キーが光るなど）となる。この表示装置３に表示させる決済用画面は、「第１情報」の一例に相当する。また、表示装置３及びスピーカは、「報知手段」の一例に相当する。
【００６１】
一方、ステップＳ１０１にてＮｏと判定されると、非接触通信媒体Ｃがある程度離れた位置で読み取られる可能性のある用途（例えば、携帯端末３０１自体を非接触通信媒体Ｃに近づけるもぎり用途等、ここでは説明の便宜上「もぎり読み」とする。）に適した送受信設定がステップＳ１０４にて行われる。このステップＳ１０４のもぎり読み送受信設定処理では、制御部６からの信号に基づき非接触通信部２０において、アンテナ５１からの電波の出力状態を所定の高出力状態とする高出力モードに設定する。また、復調器２３において、当該非接触通信処理にて通信を行う非接触通信媒体Ｃの種類（例えばＲＦＩＤタグ）に対応する受信フィルタが選択される。このようにステップＳ１０４にて設定することで、アンテナユニット３５０が下面位置にあるときに、非接触通信媒体Ｃがある程度離れた位置で読み取られる可能性のある用途においてアンテナ５１からの出力を高めに設定し、読取性能を高めることができる。なお、アンテナ５１からの電波の出力状態を所定の高出力状態とする高出力モードと、高出力モードのときよりも低出力状態とする低出力モードとに変更可能な制御部６及び非接触通信部２０は、「出力変更手段」の一例に相当する。
【００６２】
次に、ステップＳ１０５にて、非接触通信媒体Ｃがある程度離れた位置で読み取られる可能性のある用途（もぎり読み）に適した操作設定が行われる。このステップＳ１０５のもぎり読み操作設定処理では、表示装置３の表示をもぎり読み用画面（リフト券やチケット等の読取対象物の読み取り結果を表示可能な画面）に設定する。また、もぎり読み用途に適したサウンド設定が行われる。このサウンド設定では、例えば、読み取り結果に応じて、「ピッ」などの高音や、「ブー」などの低音、ビープ音やアラーム音が流れるように設定される。また、キー操作部４が例えば、もぎり読み用途に応じた設定（読み取りキーが光るなど）となる。なお、この表示装置３に表示させるもぎり読み用画面は、「第２情報」の一例に相当する。
【００６３】
そして、このようにステップＳ１０２〜Ｓ１０５の処理で、翳し読み設定若しくはもぎり読み設定がなされると、ステップＳ１０６にて設定確定処理がなされる。この処理では、例えば、携帯端末３０１の使用者がキー操作部４を操作することで、各設定が確定される。なお、このステップＳ１０６にて設定確定処理が行われると、アンテナユニット３５０の保持位置が変更されるまで、ステップＳ１０７以降の処理が繰り返されることとなる。
【００６４】
まず、ステップＳ１０７で、非接触通信媒体Ｃの読み取り指示がなされたか否かが判定される。このステップＳ１０７では、使用者等によって、非接触通信媒体Ｃの読み取りのためのトリガキーなどが押されたか否かが判定される。読み取り指示がなされるまでは、ステップＳ１０７にてＮｏとの判定が繰り返される。
【００６５】
ステップＳ１０７にて、読み取り指示がなされたと判定されると（Ｓ１０７でＹｅｓ）、ステップＳ１０８にて、非接触通信媒体Ｃを検出したか否かが判定される。このステップＳ１０８では、非接触通信媒体Ｃが検出されるまでは、Ｎｏとの判定が繰り返される。そして、ステップＳ１０８にてＹｅｓと判定されると、ステップＳ１０９にて非接触通信媒体Ｃにおける所定処理（例えば、ＩＣカードに記憶されている残金額より商品の金額を減算する処理など）が行われ、ステップＳ１１０にて制御部６にて所定のデータ処理が行われる。そして、上述したように、アンテナユニット３５０の保持位置が変更されるまで、ステップＳ１０７からの処理が繰り返し行われることとなる。
【００６６】
以上説明したように、本第３実施形態に係る携帯端末３０１では、ケース３０２側において、ケース上方側端子３５ａ〜３５ｄ及びケース下方側端子３６ａ〜３６ｄが設けられ、アンテナユニット３５０には、ケース上方側端子３５ａ〜３５ｄ及びケース下方側端子３６ａ〜３６ｄと電気的に接続可能なアンテナ側端子５７ａ〜５７ｄが設けられている。そして、アンテナユニット３５０の保持位置が上面位置となったときに、アンテナ側端子５７ａ〜５７ｄとケース上方側端子３５ａ〜３５ｄとの接続が、第１接続状態となり、アンテナユニット３５０の保持位置が下面位置となったときに、アンテナ側端子５７ａ〜５７ｄとケース下方側端子３６ａ〜３６ｄとの接続が、第２接続状態となるように構成されている。この構成では、アンテナユニット３５０が上面位置のときの端子同士の接続状態と、下面位置のときの端子同士の接続状態とを明確に異ならせて、それぞれに対応した別個の電気的状態を確実に発生させることができる。
さらに、ケース上方側端子３５ａ〜３５ｄ及びケース下方側端子３６ａ〜３６ｄの状態に基づいて、第１接続状態及び第２接続状態のいずれの状態であるかを判断する検出部７及び制御部６（判断手段）が設けられている。この構成によれば、上面位置と下面位置とで明確に区別される電気信号に基づいて、アンテナユニット３５０がいずれの位置にあるかを簡易な構成で正確に判断することができる。
【００６７】
また、アンテナ５１からの電波の出力状態を所定の高出力状態とする高出力モードと、高出力モードのときよりも低出力状態とする低出力モードとに少なくとも変更可能な制御部６及び非接触通信部２０（出力変更手段）が設けられている。そして、制御部６及び非接触通信部２０は、ステップＳ１０１にて上面位置にある（第１接続状態である）と判断された場合に低出力モードに設定し、下面位置にある（第２接続状態である）と判断された場合に高出力モードに設定するように構成されている。
この構成では、アンテナユニット３５０が上面位置にあるときに非接触通信媒体Ｃがより近くに翳され易い用途（例えば、上面位置のときにＩＣカードを携帯端末３０１の上面側に翳すような決済用途等）においてアンテナ５１からの出力を低めに設定し、低電力化を図ることができる。一方、アンテナユニット３５０が下面位置にあるときに非接触通信媒体Ｃがある程度離れた位置で読み取られる可能性のある用途（例えば、下面位置のときに携帯端末３０１自体を非接触通信媒体Ｃに近づけるもぎり用途等）においてアンテナ５１からの出力を高めに設定し、読取性能を高めることができる。
【００６８】
また、ステップＳ１０１にてアンテナユニット３５０が上面位置にあると判断された場合に当該上面位置に対応する第１情報を報知し、下面位置であると判断された場合に当該下面位置に対応する第２情報を報知する表示装置３及びスピーカが設けられている。この構成によれば、アンテナユニット３５０が上面位置及び下面位置のいずれにあるかをユーザ等が容易に認識することができ、認識した者が、アンテナユニット３５０の位置に応じた対応をとりやすくなる。
【００６９】
[第４実施形態]
次に、本発明の第４実施形態に係る携帯端末４０１について、図７を参照して説明する。本第４実施形態では、図７に示すように、アンテナユニット４５０の保持位置を変更する位置変更手段の構成が異なる点以外は、上記第１実施形態と同様である。以下、これ以外の上記第１実施形態との相違点を中心に述べる。なお、上記第１実施形態と実質的に同一の構成部分には、同一符号を付し、その説明を省略する。
【００７０】
図７（Ａ）は、第４実施形態に係る携帯端末において、アンテナユニットがケースの上面側に装着された状態を示す説明図であり、図７（Ｂ）は、アンテナユニットがケースの中間位置に装着された状態を示す説明図であり、図７（Ｃ）は、アンテナユニットがケースの下面側に装着された状態を示す説明図である。
【００７１】
上述した第１実施形態では、位置変更手段の構成として、アンテナユニット５０に設けられる突出部５３ａ、５３ｂをケース２に設けられる第１係合部３１ａ、３１ｂ及び第２係合部３２ａ、３２ｂに嵌合させることで、アンテナユニット５０をケース２に装着するようにしたが、本第４実施形態ではこの構成に代えて、当該携帯端末４０１にスライド機構を設け、このスライド機構によりアンテナユニット４５０の保持位置を連続的に変更するようにしている。
【００７２】
より具体的には、図７に示すように、ケース４０２の前方側は、角部が面取りされて曲線状に形成されている。そして、ケース４０２の幅方向両側に配置される１対のケース側壁部３３において、ケース４０２の前方側の領域に、１対のＵ字状溝３８が設けられている。そして、このＵ字状溝３８に沿って、アンテナユニット４５０を上面側（図７（Ａ）参照）から下面側（図７（Ｂ）参照）にかけてスライド可能に構成されている。また、このＵ字状溝３８の近傍の上面位置側及び下面位置側には、上述した第３実施形態と同様の構成のケース上方側端子３５及びケース下方側端子３６が設けられている。また、上下方向において上面位置と下面位置の間の中間位置には、ケース上方側端子３５及びケース下方側端子３６と同様の構成のケース中間端子３７が設けられている。
【００７３】
アンテナユニット４５０の保持部材４５２は、アンテナ５１が固定されるアンテナ固定部５４と、アンテナ固定部５４をケース４０２のＵ字状溝３８に対してスライド可能に取付可能な１対の取付部４５５が設けられている。１対の取付部４５５は、アンテナ固定部５４の幅方向一方側と幅方向他方側にそれぞれ設けられている。また、取付部４５５には、上述した第３実施形態と同様に、複数のアンテナ側端子５７が設けられている。
【００７４】
上述のように構成されるアンテナユニット４５０は、図７（Ａ）に示すように、アンテナ固定部５４をケース４０２の上方側の上面位置に配した状態で、Ｕ字状溝３８に沿ってスライドさせると、図７（Ｂ）に示すように、上下方向において上面位置と下面位置の間の中間位置に変位させることができる。また、アンテナユニット４５０を図７（Ａ）に示す上面位置から、Ｕ字状溝３８に沿って中間位置を経由してさらにスライドさせると、ケース４０２の下方側の下面位置に変位させることができる。このように、アンテナユニット４５０の保持位置を、当該アンテナユニット４５０をケース４０２から取り外すことなく、上面位置、中間位置及び下面位置とで変位させることができる。なお、Ｕ字状溝３８及び取付部４５５は、「変位機構」の一例に相当する。
【００７５】
このように、本第４実施形態では、アンテナユニット４５０を、ケース４０２の上方側の上面位置、上下方向において上面位置と下面位置の間の中間位置（ケースの長手方向一端部よりも外側の中間位置）、ケース４０２の下方側の下面位置にそれぞれ変更可能なＵ字状溝３８及び取付部４５５が設けられている。
このように、アンテナユニット４５０が変位機構によって変位される構成では、アンテナユニットを紛失してしまう可能性が低く、アンテナユニット４５０の部品管理についても省力化できる。更に、上記構成では、アンテナユニット４５０を上面位置、下面位置だけでなく、その中間にも変更することができるため、携帯端末５０１と非接触通信媒体Ｃの配置関係において通信し易い配置関係が一層増えることになり、携帯端末５０１をより広い用途に適合させやすくなる。
【００７６】
次に、本発明の第４実施形態における第１変形例に係る携帯端末５０１について、図８を参照して説明する。本第４実施形態における第１変形例では、図８に示すように、アンテナユニット５５０の保持位置を変更する位置変更手段の構成が異なる点以外は、上記第４実施形態と同様である。以下、これ以外の上記第４実施形態との相違点を中心に述べる。なお、上記第４実施形態と実質的に同一の構成部分には、同一符号を付し、その説明を省略する。
【００７７】
図８（Ａ）は、第４実施形態における第１変形例に係る携帯端末において、アンテナユニットがケースの上面側に装着された状態を示す説明図であり、図８（Ｂ）は、アンテナユニットがケースの中間位置に装着された状態を示す説明図であり、図８（Ｃ）は、アンテナユニットがケースの下面側に装着された状態を示す説明図である。
【００７８】
上述した第４実施形態では、携帯端末４０１にスライド機構を設け、このスライド機構によりアンテナユニット４５０の保持位置を連続的に変更するように構成したが、本第１変形例では、この構成に代えて、軸でアンテナユニット５５０を回転させて保持位置を連続的に変更するようにしている。
【００７９】
より具体的には、図８に示すように、ケース５０２の前方側は、角部が面取りされて曲線状に形成されている。また、ケース５０２の幅方向両側に配置される１対のケース側壁部３３において、アンテナ固定部５４の幅方向一方側と幅方向他方側に回転軸部３９が設けられている。そして、この回転軸部３９が、ケース５０２の前方側のケース側壁部３３に、この軸支されている。
【００８０】
このように構成されるアンテナユニット５５０は、図８（Ａ）に示すように、アンテナ固定部５４をケース５０２の上方側の上面位置に配した状態から、アンテナユニットを５５０回転させて、図８（Ｂ）に示すように、上下方向において上面位置と下面位置の間の中間位置に変位させることができる。また、アンテナユニット５５０を図８（Ａ）に示す上面位置からさらに回転させると、図８（Ｃ）に示すように、ケース５０２の下方側の下面位置に変位させることができる。このように、第１変形例の構成においても、上述した第４実施形態と同様の効果を得ることができる。
【００８１】
［他の実施形態]
本発明は上記記述及び図面によって説明した実施形態に限定されるものではなく、例えば次のような実施形態も本発明の技術的範囲に含まれる。
【００８２】
上記第１実施形態では、アンテナユニット５０が、ケース２の上面位置と下面位置で着脱可能に保持される構成を例示したが、これに限定されず、例えば、図９に示すように、アンテナユニット５０に回動軸４０を設け、この回動軸４０をケース２に回動可能に軸支する構成としてもよい。そして、図９（Ａ）に示すように、アンテナユニット５０が表示装置３の周囲を囲む位置（第１位置）に配置されるときに、非接触通信媒体Ｃをケース２の上方側から端末側に翳して容易に通信を行うことができる。また、図９（Ｂ）に示すように、アンテナユニット５０が表示装置３から離れる位置（第２位置）に配置されるとき、ケース２の下方側（表示装置３とは反対側）に配される非接触通信媒体Ｃ側に当該携帯端末１を移動させて容易に通信を行うことができる。
【００８３】
上記第１実施形態では、位置変更手段の一例として、アンテナユニット５０に突出部５３ａ、５３ｂを設け、ケース２に第１係合部３１ａ、３１ｂ及び第２係合部３２ａ、３２ｂを設けた構成を示したが、これに変えて例えば、ケース２の上面側と下面側に磁石を設け、またアンテナユニット５０の保持部材５２の少なくとも一部を磁性材料により構成し、磁石の吸引力によって、アンテナユニット５０をケース２に保持させるようにすることもできる。
【００８４】
上記各実施形態では、アンテナユニット５０に設けられるアンテナ５１は、表示装置３と略同一の大きさで構成した例を示したが、アンテナ５１の大きさは特に限定されない。また、アンテナ５１の大きさや種類は、例えば、非接触通信媒体の種類や、非接触通信媒体との距離などに応じて、適宜変更することができる。とくに、ケース２に対してアンテナユニットが着脱可能に保持される上記第１〜第３実施形態の構成では、アンテナ５１の変更を容易に行うことができる。
【符号の説明】
【００８５】
１、２０１、３０１、４０１、５０１…携帯端末
２、２０２、３０２、４０２、５０２…ケース
３…表示装置
４…キー操作部
４ａ…操作ボタン
６…制御部（判断手段）
７…検出部（判断手段）
８…外部インタフェース
９…メモリ
１０…電源部
１１…バッテリ
２０…非接触通信部（非接触通信手段）
２１…発振器
２２…変調器
２３…復調器
３１ａ、３１ｂ…第１係合部（位置変更手段、第１装着部）
３２ａ、３２ｂ…第２係合部（位置変更手段、第２装着部）
３３…ケース側壁部（側壁部）
３４…溝部（取付対象部）
３５、３５ａ、３５ｂ、３５ｃ、３５ｄ…ケース上方側端子（ケース側端子）
３６、３６ａ、３６ｂ、３６ｃ、３６ｄ…ケース下方側端子（ケース側端子）
３７…ケース中間端子
３８…Ｕ字状溝
３９…回転軸部
５０、２５０、３５０、４５０、５５０…アンテナユニット
５１…アンテナ
５２、２５２、４５２、５５２…保持部材
５３ａ、５３ｂ…突出部（位置変更手段）
５４…アンテナ固定部
５４ａ…開口部
５５ａ、５５ｂ、４５５…取付部
５６ａ、５６ｂ…凸部
５７、５７ａ、５７ｂ、５７ｃ、５７ｄ…アンテナ側端子
５８…ばね
【図１】
0005626064.tif 000002
【図２】
0005626064.tif 000003
【図３】
0005626064.tif 000004
【図４】
0005626064.tif 000005
【図５】
0005626064.tif 000006
【図６】
0005626064.tif 000007
【図７】
0005626064.tif 000008
【図８】
0005626064.tif 000009
【図９】
0005626064.tif 000010